(57)【要約】【課題】従来の大型の空気二次電池システムは、放電時、充電時のいずれの場合においても、空気取込口を固定化し、配管内の空気の流れの方向を一定化しているような形で構成されるシステムで、充放電を切替えた瞬間の電池の応答性が低かった。【解決手段】空気二次電池システムにおける空気二次電池発電部に、流れ込む空気の流れのルートを充放電切替時に逆転させる。放電から充電、あるいは充電から放電への切替直後においても、切替後の充電あるいは放電の立ち上がりに必要な酸素濃度の異なる空気、即ち、前者では低酸素濃度の空気、後者では高酸素濃度の空気、を即座に発電部に供給し得る構成とし、頻繁な充放電モードの切替に対する良好なシステム応答性の確保が可能とする。【選択図】図１
2011171260.tif 000002
【特許請求の範囲】
【請求項１】
酸素を正極活物質とし、内蔵する燃料を負極活物質とする空気二次電池を備え、
前記空気二次電池の、それぞれ空気の取込または排出を行う、第１の出入口と第２の出入口と、
前記第１の出入口に接続する第１の通路と、
前記第２の出入口に接続する第２の通路と、
外部空気を取り込む取込通路と、
排出空気を外部に放出する排出通路と、
前記第１の通路に前記取込通路または前記排出通路を接続し、前記第２の通路に前記取込通路または前記排出通路を接続する通路切替手段と、
充電動作時には、前記第１の通路と前記排出通路とを、また前記第２の通路と前記取込通路とを接続し、放電動作時には、前記第１の通路と前記取込通路とを、また前記第２の通路と前記排出通路とを接続するように前記通路切替手段を制御する切替制御部と
を有することを特徴とする空気二次電池システム。
【請求項２】
前記切替制御部は、
前記空気二次電池の電力出力端に接続する電流検出素子と、
前記電流検出素子による検出結果をもとに前記通路切替手段への制御信号送出手段と
を有することを特徴とする請求項１記載の空気二次電池システム。
【請求項３】
前記取込通路には空気加圧手段を備え、前記外部空気を加圧することを特徴とする請求項１または２記載の空気二次電池システム。
【請求項４】
前記第１の通路および前記第２の通路には、空気溜め手段を有することを特徴とする請求項１ないし３のいずれかに記載の空気二次電池システム。
【請求項５】
前記空気二次電池は、複数の空気二次電池セルの積層構造を有していることを特徴とする請求項１ないし４のいずれかに記載の空気二次電池システム。
【発明の詳細な説明】
【技術分野】
【０００１】
本発明は空気二次電池システムに関する。
【背景技術】
【０００２】
将来の化石エネルギー枯渇への対策や、化石エネルギーの消費に伴い排出される温室効果ガスの低減を図るため、再生エネルギーを利用した発電技術（太陽電池、風力発電など）の導入や電気自動車の市場投入など、新エネルギーの導入が始まっている。
【０００３】
これらの新エネルギー導入をより一層促進するためには、再生エネルギーの弱点である発電出力変動を吸収することや、電気自動車の航続距離をガソリン車並に延ばすことが可能な革新的な性能を備える蓄電技術の開発が最重要課題となっている。
【０００４】
この革新的蓄電技術の一つとして有望視されているのが空気二次電池である。空気二次電池の特徴は、電池内部に負極活物質のみを保持し、正極活物質には電池外に存在する空気中の酸素を使用することである。このため、正極活物質を電池内に保持しない分だけ内部に負極活物質を搭載することが可能となり、構造的に電池のエネルギー密度を高めることが可能である。
【０００５】
さらに、負極活物質としてＬｉ、Ｚｎなどの金属を使用したとき、負極材料自身のエネルギー密度の高さから革新的な性能を持つ電池が実現可能と考えられている。例えば、金属Ｌｉ、金属Ｚｎを負極活物質とした空気二次電池の最大エネルギー密度はそれぞれ、１２０００Ｗｈ／ｋｇ、１３５０Ｗｈ／ｋｇ（負極活物質のみのエネルギー密度で算定）であり、リチウムイオン電池の限界と考えられている、２５０Ｗｈ／ｋｇを遙かに凌駕する電池が実現できるポテンシャルを持つことが知られている。
【０００６】
この空気二次電池は、正極活物質として大気中の酸素を使用する点で、燃料電池と類似している。図３に水素燃料電池の発電反応を説明するための模式図を示す。水素燃料電池１０１は、図示するように、水素１０２が水素取込口１０３から取り込まれ、水素排出口１０４から希薄化した水素１０２が排出される。その間、負極である燃料極１０５を透過するなかで、水素は水素イオン（Ｈ＋）と電子（ｅ−）に分解する。この水素イオン（Ｈ＋）と電子（ｅ−）は、触媒１０６を通過し、固体電解質１０７、触媒１０６を過ぎて、正極である空気極１０８側の空気取込口１１０から取り入れた空気中の正極活物質の酸素（Ｏ２）１０９と反応して水（Ｈ２Ｏ）となり、空気排出口１１１から、希薄化された酸素（Ｏ２）とともに、水蒸気（Ｈ２Ｏ）１１２が排出される。この一連の反応により、電池外部の図中Ｅで示した結線の中を、空気極１０８から燃料極１０５に向かって電流が流れる（放電される）こととなる。
【０００７】
一方、図４に空気二次電池の充放電反応を説明するための模式図を示す。空気二次電池１１３は、図示するように、負極である金属及び電解液極１１４中の金属、例えばリチウム（Ｌｉ）などの負極活物質を発電部に保持し、放電においては、リチウム（Ｌｉ）はリチウムイオン（Ｌｉ＋）と電子（ｅ−）に分解し、リチウムイオン（Ｌｉ＋）と電子（ｅ−）は固体電解質１１５、及び触媒１１６を透過し、正極である空気極１１７の空気取込口１１９から取り込まれた正極活物質である酸素（Ｏ２）１１８と反応して過酸化リチウム（Ｌｉ２Ｏ２）となり、消費された酸素（Ｏ２）１１８量の少ない空気が空気排出口１２０から排出される。この一連の反応により、電池外部の図中Ｅで示した結線の中を、空気極１１７から金属陰極に向かって電流が流れる（放電される）こととなる。二次電池として充電時においては、図示してあるように、逆の反応がそれぞれ行われて充電される。
【０００８】
この空気二次電池は、リチウムイオン電池などの二次電池の代替として有力なものであるが、一般に二次電池として求められる特性として、次の２点が挙げられよう。
（１）優れたエネルギー密度
（２）十分な電力入出力特性
空気二次電池に関し、前者の優れたエネルギー密度の点は、先に述べたような、この電池の構造的及び材料物理的な面から実現可能と考えられる。一方、後者の十分な電力入出力特性の獲得のためには、従来から、車載用燃料電池システムなどで提案されているような燃料電池の個別セル（ＦＣ）を多層にスタック化（積層構造化）した構成物（ＦＣスタック、燃料電池スタック）を用い、このＦＣスタック中に、コンプレッサなどの加圧補助動力機器（補機）によって、空気（すなわち酸素）を強制的に導入することで、高出力充放電時の酸素の供給や放出を促進し、十分な電力入出力特性を得る提案がなされており、この点においても実現可能といえよう。
【０００９】
図５は、空気二次電池の、放電時、充電時それぞれの酸素供給の状況を説明するための模式図である。
【００１０】
図５（１）は、空気二次電池１１３が放電作用状態のときの電池モデルである。酸素（Ｏ２）とリチウムイオン（Ｌｉ＋）と電子（ｅ−）が反応する状態であって、外部から導入した空気中の酸素（Ｏ２）１１８は空気取込口１１９から入って、空気極１１７に沿って酸素（Ｏ２）１１８が移動する間に、発電によって酸素（Ｏ２）が消費され、図中の矢印ＬＤで示す方向のように、空気中の含有酸素は低下していき、空気排出口１２０では、酸素１１８の含有量はかなり低濃度になっている。
【００１１】
他方、図５（２）は、空気二次電池１１３が充電作用状態のときの内部モデルである。過酸化リチウム（Ｌｉ２Ｏ２）が分解して、酸素（Ｏ２）とリチウムイオン（Ｌｉ＋）と電子（ｅ−）が生成される反応下、外部から導入した空気中の酸素（Ｏ２）１１８は空気取込口１１９から入って、空気極１１７に沿って酸素（Ｏ２）１１８が移動する間に、充電によって酸素（Ｏ２）が生成され、図中の矢印ＨＤで示す方向のように、空気中の含有酸素は増加していき、空気排出口１２０では、酸素１１８の含有量はかなり高濃度になっている。この様に、いずれの場合でも、電池内部の空気極側にある配管内では、酸素の濃度勾配が生じている。
【００１２】
電池の安定稼動のため、こうした濃度勾配を解消する手段として、空気極側の配管内に、例えば小型ファンなどの空気移動デバイスを内蔵する方法が提案されている。この方法は、パーソナル機器向けの小型空気電池システムを主たる目的とし、それに用いる小型の空気流通制御システム構築のために、空気電池配管内部に、小型ファンなどの空気移動デバイスを配置し、このデバイス中の空気の流れを正逆反転させることで、酸素の濃度勾配を均質化させるというものである。
【先行技術文献】
【特許文献】
【００１３】
【特許文献１】特開２００９−１７０２２５号公報
【特許文献２】特表２００２−５８２８６０号公報
【発明の概要】
【発明が解決しようとする課題】
【００１４】
しかし、提案されている、空気移動デバイス内蔵の方法は、空気電池の小型化を目指し、デバイスを配管内に設置しているため、大流量の空気を必要とする大型の空気二次電池システムには適していないと考えられる。また、空気中の酸素濃度の勾配を解消するためには、かなりの時間が必要になると思われるが、それに対する対応手段は明らかにされていなはい。
【００１５】
一方、先に述べた、一般に電池として求められる特性における、（２）十分な電力入出力特性、に関し、「頻繁な充放電モードの切替に対する良好なシステム応答性」が、実用上重要なポイントとなる。
【００１６】
図５に示したような、放電時、充電時のいずれの場合においても、空気取込口および空気排出口を固定化し、空気極側配管内の空気の流れの方向を一定化しているような形で構成される大型システムでは、充放電を切替えた瞬間の電池の応答性が低いものであった。例えば、放電から充電に運転を切替えたときには、電池内部では、酸素挙動が消費から放出へと切替わるが、常時一定濃度の空気が供給されているため、その濃度に対応した酸素放出しか行われない。この応答性を改善するためには、充電時の切替直後に、酸素濃度の異なる空気を即座に供給する必要がある。
【００１７】
そこで、本発明の課題は、大容量の空気二次電池システムにおいても、頻繁な充放電モードの変更に対する良好なシステム応答性を有する、特に、充放電の切替直後においても、切替後の立ち上がりに必要な、酸素濃度の異なる空気を即座に供給し得る空気二次電池システムを提供することにある。
【課題を解決するための手段】
【００１８】
本発明の空気二次電池システムは、
酸素を正極活物質とし、内蔵する燃料を負極活物質とする空気二次電池を備え、
前記空気二次電池の、それぞれ空気の取込または排出を行う、第１の出入口と第２の出入口と、
前記第１の出入口に接続する第１の通路と、
前記第２の出入口に接続する第２の通路と、
外部空気を取り込む取込通路と、
排出空気を外部に放出する排出通路と、
前記第１の通路に前記取込通路または前記排出通路を接続し、前記第２の通路に前記取込通路または前記排出通路を接続する通路切替手段と、
充電動作時には、前記第１の通路と前記排出通路とを、また前記第２の通路と前記取込通路とを接続し、放電動作時には、前記第１の通路と前記取込通路とを、また前記第２の通路と前記排出通路とを接続するように前記通路切替手段を制御する切替制御部と
を有することを特徴とする。
【発明の効果】
【００１９】
本発明の空気二次電池システムによって、放電から充電、あるいは充電から放電への切替直後においても、切替後の充電あるいは放電の立ち上がりに必要な、酸素濃度の異なる空気を即座に発電部に供給し得る構成とし、頻繁な充放電モードの切替に対する良好なシステム応答性の確保が可能となる。
【図面の簡単な説明】
【００２０】
【図１】本発明の空気二次電池システムの構成を説明する図
【図２】本発明におけるバルブ切替時の接続系統を説明する図
【図３】従来の水素燃料電池の発電反応を説明する図
【図４】従来の空気二次電池の充放電反応を説明する図
【図５】従来の空気二次電池の充放電反応における酸素供給状況を説明する図
【発明を実施するための形態】
【００２１】
以下に、本発明の実施の形態を、添付図を参照しつつ説明する。
【００２２】
（実施例）
図１に、本発明の空気二次電池システムの実施例におけるシステム構成図を示す。図において、空気二次電池システム１は、例えば空気二次電池のセルをスタック構造などに構成した、空気二次電池発電部２を有し、これは、空気など気体の第１の出入口４と、これと異なる第２の出入口５を持つ。第１の出入口４は、例えば、ステンレス製管路などからなる、気体の通路用の第１の通路６の一端と接続し、また第２の出入口５は同じく第２の通路７の一端と接続する。
【００２３】
また、本空気二次電池システム１は、例えば、気体通路切替のための回転式のバルブ３を有し、このバルブ３は、図示するように、外部通路と接続するために、Ａ、Ｂ、Ｃ、Ｄの接続口を備える。バルブ３には、例えば、バルブ機構内部に、Ａ、Ｂ、Ｃ、Ｄの各接続口間を繋ぐ路を適宜変更可能とする、回転式の接続口間変更機能を有するようにする。
【００２４】
第１の配管接続状態（後述のように放電時の配管接続）において、バルブ３内での口間路を接続口Ａと接続口Ｂ間で接続状態とし、同時に、接続口Ｃと接続口Ｄ間で接続状態（図中、バルブ３に２つのＨ矢印で示す）とする。そして、第１の通路６の他方の端部をバルブ３の接続口Ｂと接続し、第２の通路７の他方の端部をバルブ３の接続口Ｄと接続する。また、バルブ３の接続口Ａを取込通路８の一端と接続し、取込通路８の他方の端部は、外部の空気を取り込むための取込部９に接続する。そして、バルブ３の接続口Ｃは排出通路１０の一端と接続し、排出通路１０の他方の端部は、空気を排出するための排出部１１と接続する。こうして、取込部９から入る空気は、取込部９−取込通路８−バルブ３接続口Ａ−同接続口Ｂ−第１の通路６−空気二次電池発電部２の第１の出入口４−空気二次電池内での反応＜この場合、酸素の消費反応を伴う放電反応とする。即ち、図中放電時の空気の流れＨ＞−空気二次電池発電部２の第２の出入口５−第２の通路−バルブ３接続口Ｄ−同接続口Ｃ−排出通路１０−排出部１１、の径路を通過する。この場合、連続放電がなされることによって、第２の出入口５近傍から第２の通路７内、更に、排出通路１０において、酸素濃度が減少した空気が流れる状態となる。
【００２５】
第２の配管接続状態（後述のように充電時の配管接続）においては、前記第１の配管接続状態と異なり、バルブ３内での口間路を接続口Ａと接続口Ｄ間で接続状態とし、同時に、接続口Ｂと接続口Ｃ間で接続状態（図中、バルブ３に２つのＪ矢印で示す）に変える。他の接続関係は同じものとしておくことで、取込部９から入る空気は、取込部９−取込通路８−バルブ３接続口Ａ−同接続口Ｄ−第２の通路７−空気二次電池発電部２の第２の出入口５−空気二次電池内での反応＜この場合、酸素の増大反応を伴う充電反応とする。即ち、図中放電時の空気の流れＪ＞−空気二次電池発電部２の第１の出入口４−第１の通路−バルブ３接続口Ｂ−同接続口Ｃ−排出通路１０−排出部１１、の径路を通過する。この場合、連続充電がなされることによって、第１の出入口４近傍から第１の通路６内、更に、排出通路１０において、酸素濃度が増大した空気が流れる状態となる。
【００２６】
また、この空気二次電池システム１においては、取り込む空気を加圧する、空気加圧手段、即ち、例えば、コンプレッサ１２を取込通路８中に設置するのが望ましい。更に、空気中の塵埃を除去するエアフィルタ１３、また適切な湿度を有する空気とするための、除加湿器１４を取込通路８中に設置してもよい。
【００２７】
また、空気二次電池発電部２の発電部電力出力端１５に、電流検出素子、例えば電流検出抵抗１６を設ける。この抵抗素子に流れる極性によって、充電または放電の状態を検出し、この結果をバルブ制御部１７に伝え、前述の、バルブ３の機構内部のＡ、Ｂ、Ｃ、Ｄの各接続口間を繋ぐ路を適宜変更可能とする、±９０度回転をする回転式の接続口間変更機能に伝達する。
【００２８】
図２に示すように、電流検出抵抗１４が、「＋」、即ち、放電であると電流検出抵抗１４が感知するときは、バルブ制御部１７は、バルブ３に信号を送り、放電状態のバルブ内通路の接続は、接続口Ａ−接続口Ｂ、接続口Ｃ−接続口Ｄ、の様に自動制御し、「−」、即ち、充電であると電流検出抵抗１４が感知するときは、バルブ制御部１７は、バルブ３に信号を送り、充電状態のバルブ内通路の接続は、接続口Ｂ−接続口Ｃ、接続口Ａ−接続口Ｄ、の様に自動制御する。
【００２９】
こうした空気二次電池システムにおける、動作の様子を説明する。前述の、放電状態である第１の配管接続状態においては、空気が、取込通路８から、バルブ３の接続口Ａ−接続口Ｂ経由、第１の通路６を通過して、空気二次電池発電部２の第１の出入口４から入り、図５（１）で述べたように、導入された空気は、電池の放電動作によって酸素が消費され、酸素濃度の薄い空気となって、第２の出入口から排出され、低酸素濃度の空気は、第２の通路７を通り、バルブ３の接続口Ｄ−接続口Ｃ経由、排出通路１０に行く。その結果、放電動作の継続によって、第２の通路７（およびバルブ３以降の排出通路１０）の配管内の空気は、低酸素濃度のものに満たされることとなる。そこで、以下の二種類のモード切替を実施したときの状況を述べる。
【００３０】
（イ）放電→充電へのモード切替時
例えば、発電部出力端１５に接続する図示しない電力源を作動させて、電流の流れを逆転させて、放電状態から充電モードに切替をする。これに伴って、電流検出抵抗１６がこれを感知し、バルブ制御部１７に信号を送り、バルブ３内の回転機構を回転させて、上記の第２の配管接続状態になる。このモード切替により、切替の初期段階においては、取込通路８から到達する空気（通常の酸素濃度）は、バルブ３の接続口Ａ−接続口Ｄを経由して、第２の通路７内の空気(低酸素濃度)を押し出して、第２の出入口５から空気二次電池発電部２に進入することとなる。
【００３１】
その結果、図５（２）で述べたような酸素が放出される充電反応が行われるなか、通常酸素濃度の空気導入の場合に比べ、主に第２の通路７内の空気である低い酸素濃度の空気が、空気二次電池内に入ると、電池内の低酸素濃度となっている酸素濃度勾配によって酸素排出能力が向上し、充電反応が促進され、充電反応への立ち上がりをスムーズに行うことが可能となる。このモード切替をこのような二次電池への空気の流路逆転手法を用いずに、同じ空気の流れのなかで行うと、通常酸素濃度の空気が供給され続けた状態で、酸素濃度勾配の利点が無く、充電反応に切替えた初期段階において、充電立ち上がりがスムーズに行かない。
【００３２】
以降、定常的な通常酸素濃度の空気導入によって安定な充電が行われる。この充電状態が行われるなかで、つまり第２の配管接続状態において図５（２）の反応が進むことから、空気二次電池発電部２の空気の出口である第１の出入口４から第１の通路６に流れ込む空気は高酸素濃度のものとなっており、この空気は、バルブ３の接続口Ｂ−接続口Ｃを経由して排出通路１０に流れ込み、排出部１１に達して排出される。
【００３３】
（ロ）充電→放電へのモード切替時
この場合、充電モードである第２の配管接続状態から、放電モードである第１の配管接続状態へと切替えるべく、例えば、発電部電力出力端１５に図示しない電力消費負荷を接続する。電量検出抵抗１６での電流方向の逆転を感知し、この結果をバルブ制御部１７に信号を送り、バルブ３内の回転機構を回転させて、上記の第１の配管接続状態にする。このモード切替により、切替の初期段階においては、取込通路８から到達する空気（通常の酸素濃度）は、バルブ３の接続口Ａ−接続口Ｂ経由して、第１の通路６内の空気(高酸素濃度)を押し出して、第１の出入口４から空気二次電池発電部２に進入することとなる。
【００３４】
今度は（イ）の場合とは逆に、図５（１）で述べたような酸素が吸収される放電反応が行われるなか、通常酸素濃度の空気導入の場合に比べ、主に第１の通路６内の空気である高い酸素濃度の空気が、空気二次電池内に入ると、電池内の高酸素濃度といった酸素濃度勾配によって酸素吸収能力が向上し、放電反応が促進され、放電反応への立ち上がりをスムーズに行うことが可能となる。このモード切替をこのような二次電池への空気の流路逆転手法を用いずに、同じ空気の流れのなかで行うと、通常酸素濃度の空気が供給され続けた状態で、酸素濃度勾配の利点が無く、放電反応に切替えた初期段階において、放電立ち上がりがスムーズに行かないのは、放電→充電のモード切替の場合の充電立ち上がりと同じである。
【００３５】
以降、定常的な通常酸素濃度の空気導入によって安定な放電が行われることとなる。この放電状態が行われるなかで、空気二次電池発電部２の空気の出口である第２の出入口５から第２の通路７に流れ込む空気は低酸素濃度のものとなっており、この空気は、バルブ３の接続口Ｄ−接続口Ｃを経由して排出通路１０に流れ込み、排出部１１に達して排出される。
【００３６】
この様に、モード切替時において、空気二次電池発電部に流れ込む空気の流れを逆転させるシステムとすることで、発電部中の酸素吸入・排出能力を改善することが可能となる。その結果、この空気二次電池システムは、二次電池システムの必須条件の一つである「頻繁な充放電モードの切替に対する良好なシステム応答性」を大きく改善することが可能となった。
【００３７】
なお、発電部中の酸素吸入・排出能力の改善に寄与する空気体積は、実質、図１における第１の通路６、および第２の通路７における配管の容量部分に相当しよう。従って、モード切替時の反応立ち上がりをスムーズにするために必要な、低酸素濃度あるいは高酸素濃度空気の体積を確実に確保するために、第１の通路６および第２の通路７における配管引き回しを工夫して配管長を確保することや、あるいは、それら通路に所定容量の空気を蓄えることができる、空気溜め、ないし、空気室といった手段を設けるのも有効である。
【００３８】
以上、本発明の好ましい実施の形態について詳述してが、本発明は係る実施の形態に限定されるものではなく、特許請求の範囲に記載された本発明の範囲において、種々の変形・変更が可能である。
【００３９】
例えば、取込通路８と排出通路１０を、第１の通路６と第２の通路とを同時に接続及び切替をする通路切替手段として、実施例で述べたような、回転式の切替方法を用いるバルブ３の例を示したが、勿論、これに拘らない。取込通路８と排出通路１０を、第１の通路６と第２の通路を個別に接続し、また切替でもよいことは言うまでもない。
【００４０】
以上の実施例を含む実施の形態に関し、以下の付記を開示する。
（付記１）
酸素を正極活物質とし、内蔵する燃料を負極活物質とする空気二次電池を備え、
前記空気二次電池の、それぞれ空気の取込または排出を行う、第１の出入口と第２の出入口と、
前記第１の出入口に接続する第１の通路と、
前記第２の出入口に接続する第２の通路と、
外部空気を取り込む取込通路と、
排出空気を外部に放出する排出通路と、
前記第１の通路に前記取込通路または前記排出通路を接続し、前記第２の通路に前記取込通路または前記排出通路を接続する通路切替手段と、
充電動作時には、前記第１の通路と前記排出通路とを、また前記第２の通路と前記取込通路とを接続し、放電動作時には、前記第１の通路と前記取込通路とを、また前記第２の通路と前記排出通路とを接続するように前記通路切替手段を制御する切替制御部と
を有することを特徴とする空気二次電池システム。
（付記２）
前記切替制御部は、
前記空気二次電池の電力出力端に接続する電流検出素子と、
前記電流検出素子による検出結果をもとに前記通路切替手段への制御信号送出手段と
を有することを特徴とする付記１記載の空気二次電池システム。
（付記３）
前記取込通路には空気加圧手段を備え、前記外部空気を加圧することを特徴とする付記１または２記載の空気二次電池システム。
（付記４）
前記第１の通路および前記第２の通路には、空気溜め手段を有することを特徴とする付記１ないし３のいずれかに記載の空気二次電池システム。
（付記５）
前記空気二次電池は、複数の空気二次電池セルの積層構造を有していることを特徴とする付記１ないし４のいずれかに記載の空気二次電池システム。
（付記６）
前記負極活物質は、Ｌｉ（リチウム）またはＺｎ（亜鉛）を含む材料からなることを特徴とする付記１ないし５のいずれかに記載の空気二次電池システム。
（付記７）
前記取込通路には、さらに空気ろ過手段または／および空気除加湿手段を有することを特徴とする付記３ないし６のいずれかに記載の空気二次電池システム。
【符号の説明】
【００４１】
１  空気二次電池システム
２  空気二次電池発電部
３  バルブ
４  第１の出入口
５  第２の出入口
６  第１の通路
７  第２の通路
８  取込通路
９  取入部
１０  排出通路
１１  排出部
１２  コンプレッサ
１３  エアフィルタ
１４  除加湿器
１５  発電部電力出力端
１６  電流検出抵抗
１７  バルブ制御部
１０１  水素燃料電池
１０２  水素
１０３  水素取込口
１０４  水素排出口
１０５  燃料極
１０６、１１６  触媒
１０７、１１５  固体電解質
１０８、１１７  空気極
１０９、１１８  酸素
１１０、１１９  空気取込口
１１１、１２０  空気排出口
１１２  水蒸気
１１３  空気二次電池
１１４  金属及び電解液極
【図２】
2011171260.tif 000003
【図１】
2011171260.tif 000004
【図３】
2011171260.tif 000005
【図４】
2011171260.tif 000006
【図５】
2011171260.tif 000007